(57)【特許請求の範囲】
【請求項１】
ＬＥＤへ電流を供給するＤＣ電源回路と、前記ＤＣ電源回路からＬＥＤへの供給電流を制御する電流制御部と、を備えたＬＥＤ点灯装置であって、
前記電流制御部は、所定の入力電圧値に応じてＬＥＤへの供給電流を制御するものであり、基準電圧から直列に配された２つの抵抗を含む抵抗分圧回路と、ＬＥＤの光量ばらつきに応じて設定され前記入力電圧値を補正する補正用抵抗と、を有し、前記入力電圧値は、前記基準電圧の抵抗分圧値により設定され、
前記補正用抵抗は、前記抵抗分圧回路の２つの抵抗のうちの一方の抵抗と並列に配され、且つ前記電流制御部を構成する回路群とは離れた位置にあって、ワイヤーハーネス又は基板配線によって前記電流制御部と接続されていることを特徴とするＬＥＤ点灯装置。
【請求項２】
前記補正用抵抗は、感温抵抗又はサーミスタであることを特徴とする請求項１に記載のＬＥＤ点灯装置。
【請求項３】
前記電流制御部は、定電流回路と、該定電流回路からの電流が流れる既定抵抗と、を有し、前記入力電圧値は、前記既定抵抗に発生する電圧値により設定され、
前記補正用抵抗は、前記既定抵抗と並列に配されていることを特徴とする請求項１又は請求項２に記載のＬＥＤ点灯装置。
【請求項４】
請求項１乃至請求項３のいずれか一項に記載のＬＥＤ点灯装置を用いた車載用照明装置。
【請求項５】
請求項１乃至請求項３のいずれか一項に記載のＬＥＤ点灯装置を用いた照明器具。
【発明の詳細な説明】
【技術分野】
【０００１】
本発明は、ＬＥＤを点灯させるＬＥＤ点灯装置及びそれを用いた車両用照明装置並びに照明器具に関する。
【背景技術】
【０００２】
発光ダイオード（以下、ＬＥＤ）は、低電力で高輝度の発光が可能であり、表示等や照明器具等の様々な電気機器の光源として使用されている。近年では、ＬＥＤは、放電灯に換わる車載用照明装置の光源として利用されている。このような車載用照明装置では、一般的に、複数のＬＥＤを用いることで、照射光の輝度を高めている。
【０００３】
ところが、ＬＥＤは、製造ばらつき等によって発光特性に個体差があり、その光量がばらつくことがある。そのため、ＬＥＤを光源として用いた照明装置においては、電源電圧を変換するＬＥＤ点灯装置を用いて、ＬＥＤに供給される電流を一定値に制御しても、装置毎に同じ光出力が得られないことがある。特に、複数のＬＥＤを用いた車載用照明装置においては、各ＬＥＤの個体差が相乗されて、装置毎の光出力がばらつく虞がある。
【０００４】
そこで、図７に示すように、ＬＥＤ１０３へ電流を供給するＤＣ−ＤＣコンバータから成るＤＣ電源回路１０５と、このＤＣ電源回路１０５からＬＥＤ１０３への供給電流Ｉｏを制御する電流制御部１０６と、を備えたＬＥＤ点灯装置１０１がある。電流制御部１０６は、所定の入力電圧値Ｖｃに応じてＤＣ−ＤＣコンバータのスイッチ素子Ｑ０をオンオフして供給電流Ｉｏを制御する出力電流設定部１６１と、基準電圧Ｖｒｅｆから直列に配された２つの抵抗Ｒ１，Ｒ２を含む抵抗分圧回路１６２と、を有する。ここで、出力電流設定部１６１に対する入力電圧値Ｖｃは、基準電圧Ｖｒｅｆの抵抗分圧値により設定される。
【０００５】
また、電源回路からＬＥＤへの供給電流を制御する制御回路が、上記供給電流を補正的に調整する回路を有し、所定の電流値に対する光量が基準値から外れるＬＥＤに対し、基準値と一致させるＬＥＤ駆動回路が知られている（例えば、特許文献１参照）。
【先行技術文献】
【特許文献】
【０００６】
【特許文献１】特開２００７−３０５９２０号公報
【発明の概要】
【発明が解決しようとする課題】
【０００７】
しかしながら、図７に示したＬＥＤ点灯装置１０１においては、ＬＥＤの光量ばらつきに応じて抵抗値が設定された抵抗Ｒ１又は抵抗Ｒ２を有する抵抗分圧回路を電源制御部に組み込む必要がある。そのため、製造時に準備すべき回路の種類が多くなり、ＬＥＤ点灯装置の生産効率が悪くなる虞がある。また、上記特許文献１に記載のＬＥＤ駆動回路においては、ＬＥＤへの供給電流の補正用回路に配された抵抗に流れる電流値が、ＬＥＤへの供給電流を制御する制御信号の出力値に大きく影響する。そのため、制御回路と抵抗との間に外部ノイズが印加されると、そのノイズの影響を受けて上記制御信号の出力値が変動し、ＬＥＤの光出力も変動してしまう虞がある。
【０００８】
本発明は、上記課題を解決するものであり、ＬＥＤの光量のばらつきを簡易な構成で補正することができ、ノイズの影響によるＬＥＤの光出力の変動を抑制することができるＬＥＤ点灯装置及びそれを用いた車両用照明装置並びに照明器具を提供することを目的とする。
【課題を解決するための手段】
【０００９】
上記課題を解決するため、本発明は、ＬＥＤへ電流を供給するＤＣ電源回路と、前記ＤＣ電源回路からＬＥＤへの供給電流を制御する電流制御部と、を備えたＬＥＤ点灯装置であって、前記電流制御部は、所定の入力電圧値に応じてＬＥＤへの供給電流を制御するものであり、基準電圧から直列に配された２つの抵抗を含む抵抗分圧回路と、ＬＥＤの光量ばらつきに応じて設定され前記入力電圧値を補正する補正用抵抗と、を有し、前記入力電圧値は、前記基準電圧の抵抗分圧値により設定され、前記補正用抵抗は、前記抵抗分圧回路の２つの抵抗のうちの一方の抵抗と並列に配され、且つ前記電流制御部を構成する回路群とは離れた位置にあって、ワイヤーハーネス又は基板配線によって前記電流制御部と接続されていることを特徴とする。
【００１２】
上記ＬＥＤ点灯装置において、前記補正用抵抗は、感温抵抗又はサーミスタであることが好ましい。
【００１３】
上記ＬＥＤ点灯装置は、前記補正用抵抗は、前記電流制御部を構成する回路群とは離れた位置にあって、ワイヤーハーネス又は基板配線によって前記電流制御部と接続されていることが好ましい。
【００１４】
上記ＬＥＤ点灯装置は、車載用照明装置に用いられることが好ましい。
【００１５】
上記ＬＥＤ点灯装置は、照明器具に用いられることが好ましい。
【発明の効果】
【００１６】
本発明によれば、ＬＥＤの光量ばらつきに応じて設定された補正用抵抗によって、ＬＥＤへの供給電流を制御する電流制御部の入力電圧値が補正されるので、ＬＥＤの光量のばらつきを簡易に補正することができる。また、例えば、入力電圧値における補正用抵抗による補正量を少なくすれば、補正用抵抗と電流制御部との間にノイズが印加されても、このノイズが入力電圧値に与える影響は少なく、ＬＥＤの光出力の変動を抑制することができる。
【図面の簡単な説明】
【００１７】
【図１】本発明の第１の実施形態に係るＬＥＤ点灯装置を用いた車載用照明装置の概略構成を示す斜視図。
【図２】同ＬＥＤ点灯装置のブロック構成図。
【図３】同ＬＥＤ点灯装置における入力電圧値の設定方法を示す図。
【図４】本発明の第２の実施形態に係るＬＥＤ点灯装置のブロック構成図。
【図５】同ＬＥＤ点灯装置における入力電圧値の設定方法を示す図。
【図６】（ａ）は同ＬＥＤ点灯装置を用いた照明器具の側面図、（ｂ）は正面図。
【図７】従来のＬＥＤ点灯装置のブロック構成図。
【発明を実施するための形態】
【００１８】
本発明の第１の実施形態に係るＬＥＤ点灯装置及びそれを用いた車載用照明装置について、図１乃至図３を参照して説明する。図１に示すように、本実施形態に係るＬＥＤ点灯装置１は、車載用照明装置２に用いられる。車載用照明装置２は、光源として発光ダイオード（以下、ＬＥＤ３）を用いた灯具４と、ＬＥＤ３へ電流を供給するバッテリー（直流電源ＤＣ）と、ＬＥＤ３への供給電流をオンオフするスイッチＳＷと、備える。ＬＥＤ点灯装置１は、スイッチＳＷにおけるオンオフ操作に従って直流電源ＤＣからＬＥＤ３へを供給電流を制御する。図例では、左右一対の灯具４（前照灯）の夫々にＬＥＤ点灯装置１が配された例を示すが、一つのＬＥＤ点灯装置１が複数の灯具４におけるＬＥＤ３の供給電流を制御するように構成されていてもよい。
【００１９】
図２に示すように、ＬＥＤ点灯装置１は、直流電源ＤＣと灯具４との間に配され、ＬＥＤ３へ電流を供給するＤＣ電源回路５と、ＤＣ電源回路５からＬＥＤ３への供給電流Ｉｏを制御する電流制御部６と、を備える。なお、ＬＥＤ３は、複数の発光ダイオード素子Ｄ１、Ｄ２…Ｄｎが直列に配されたＬＥＤ群を総称していう。
【００２０】
ＬＥＤ３には、所望の光色の照明光を出射できるＬＥＤ、例えば、ＧａＮ系青色ＬＥＤチップにＹＡＧ系黄色蛍光体が被覆され、青色光と黄色光とを混光させて白色光を出射する白色ＬＥＤが用いられる。なお、白色ＬＥＤに限らず、赤、緑及び緑の発光色が異なる複数のＬＥＤが適宜に組み合わされて用いられてもよく、また、発光部に有機発光材料を用いたＯＬＥＤが用いられてもよい。
【００２１】
ＤＣ電源回路５は、直流電源ＤＣからＬＥＤ３への供給電流Ｉｏの直流出力電圧を所定電圧に変換するＤＣ−ＤＣコンバータ５１を備える。ＤＣ−ＤＣコンバータ５１は、直流電源ＤＣの直流出力電圧をスイッチングするスイッチング素子Ｑ０と、このスイッチング素子Ｑ０のスイッチングによる励磁エネルギーを蓄積・放出するトランス（不図示）と、を備える。また、ＤＣ−ＤＣコンバータ５１は、上記トランスからの出力電流を整流・平滑化するダイオードや平滑コンデンサ、及びスイッチング素子Ｑ０の電流電圧を検知するために配される抵抗等（不図示）を備える。
【００２２】
ＤＣ電源回路５からＬＥＤ３への供給電流Ｉｏは、これらの間に配された検知用抵抗（不図示）の電圧値が、比較回路（不図示）において基準電圧Ｖｒｅｆと比較され、その比較結果が電流制御部６に出力されることにより、フィードバック制御される。このように、電流制御部６は、上記検知用抵抗における検知電圧に応答して、スイッチング素子Ｑ０のスイッチング周波数やデューティを制御することにより、ＬＥＤ３への供給電流Ｉｏの定電流制御を行う。
【００２３】
電流制御部６は、汎用のマイコン等から成る出力電流設定部６１を備え、出力電流設定部６１に入力された所定の入力電圧値Ｖｃに応じて、スイッチング素子Ｑ０のスイッチング周波数やデューティを制御することにより、ＬＥＤ３への供給電流Ｉｏを制御する。本実施形態においては、電流制御部６は、基準電圧Ｖｒｅｆから直列に配された第１抵抗Ｒ１及び第２抵抗Ｒ２を含む抵抗分圧回路６２を有し、入力電圧値Ｖｃは、基準電圧Ｖｒｅｆの抵抗分圧値により設定される。抵抗分圧回路６２の第１抵抗Ｒ１及び第２抵抗Ｒ２の各抵抗値は、ＬＥＤ３の光量のばらつく範囲及びその平均値を統計的に算出し、この平均値に基づいて設定される。
【００２４】
また、ＬＥＤ点灯装置１においては、ＬＥＤ３の光量ばらつきに応じて設定される補正用抵抗Ｒｃが、抵抗分圧回路６２の第１抵抗Ｒ１及び第２抵抗Ｒ２のうちの一方の抵抗、本例では第２の抵抗Ｒ２と並列に配されている。この構成によれば、第１抵抗Ｒ１と、第２抵抗Ｒ２及び補正用抵抗Ｒｃの合成抵抗Ｚ１との各抵抗値の和に占める合成抵抗Ｚ１の抵抗値の比率が分圧比となる。そして、基準電圧Ｖｒｅｆに上記分圧比を乗じて得た抵抗分圧値が、入力電圧値Ｖｃとして出力電流設定部６１に入力される。言い換えると、基準電圧Ｖｒｅｆの抵抗分圧値は、補正用抵抗Ｒｃによって補正され、この補正された抵抗分圧値が入力電圧値Ｖｃとなる。
【００２５】
補正用抵抗Ｒｃは、電流制御部６を構成する回路群とは離れた位置にあって、ワイヤーハーネス又は基板配線６４によって電流制御部６の出力電流設定部６１と接続されている。こうすれば、車載用照明装置２にＬＥＤ点灯装置１を組み込む際に、ＬＥＤ３の光量を確認しながら、そのＬＥＤ３に適合する抵抗値を有する補正用抵抗Ｒｃを選択し、これを簡易な設定操作でＬＥＤ点灯装置１に取り付けることができる。
【００２６】
また、補正用抵抗Ｒｃは、感温抵抗又はサーミスタ等の可変抵抗であってもよい。この場合、ＬＥＤ点灯装置１には、補正用抵抗Ｒｃの抵抗値を制御するための別途の可変抵抗制御回路が用いられる。この可変抵抗制御回路には、例えば、灯具４から出射光の照度を検出する照度センサや、ＬＥＤ点灯装置１の周囲温度を測定する温度センサ、これらの検出値に応じて補正用抵抗Ｒｃに対して制御信号を出力するマイコン及び比較器等が組み込まれる。ＬＥＤ３には、例えば、同一温度、同一電流で同じ光量が得られても、周囲温度が変化すると、発光特性が変化し、同一電流で同じ光量が得られないものが存在する。これに対して、補正用抵抗Ｒｃを可変抵抗とし、その抵抗値を適宜に変更させれば、周囲の温度変化等に応じて補正用抵抗Ｒｃの抵抗値を設定できるので、車載用照明装置２の使用環境に応じてＬＥＤ３の光出力をコントロールすることができる。
【００２７】
図３は、種々の条件におけるＬＥＤ３（発光ダイオード素子Ｄ１、Ｄ２…Ｄｎ）の光量と、供給電流Ｉｏ、補正用抵抗Ｒｃ及び出力電流設定部６１への入力電圧値Ｖｃとの関係を示す。ここでいう「条件」とは、素子自体は同型であるが、製造時期や方法等の違いにより、発光特性に個体差があり、互いの光量が必ずしも一致しない複数の発光ダイオード素子Ｄ１、Ｄ２…Ｄｎの組み合わせをいう。なお、以下の説明において、ＬＥＤ点灯装置１がＬＥＤ３を点灯させたとき、各素子Ｄ１、Ｄ２…Ｄｎの光量が夫々Ｃ１であり、ＬＥＤ３の光出力の目標値がＣ１×ｎ（ｎは発光ダイオード素子の個数）であるものとする。また、抵抗分圧回路６２の第１抵抗Ｒ１及び第２抵抗Ｒ２の各抵抗値は、夫々規定値Ｒ１，Ｒ２として設定される。また、出力電流設定部６１は、入力電圧値Ｖｃが大きくなる程、供給電流Ｉｏの電流値を大きくするように電流制御を行なうものとする。
【００２８】
ある条件（１）において、補正用抵抗Ｒｃの抵抗値をＲｃ１としたとき、入力電圧値Ｖｃ１（抵抗分圧値）は、以下の式１、２により求められる。なお、式１、２において、Ｚ１は、第２抵抗Ｒ２及び補正用抵抗Ｒｃ１の合成抵抗である。
【００２９】
［数１］
Ｖｃ＝Ｖｒｅｆ・Ｚ１／（Ｒ１＋Ｚ１）＝Ｖｃ１・・・（式１）
Ｚ１＝Ｒ２・Ｒｃ１／（Ｒ２＋Ｒｃ１）  ・・・（式２）
【００３０】
出力電流設定部６１は、入力電圧値Ｖｃ１が入力されると、この入力電圧値Ｖｃ１に応じてＤＣ−ＤＣコンバータ５１のスイッチング素子Ｑ０を制御する制御信号を出力し、ＤＣ−ＤＣコンバータ５１からＬＥＤ３へ供給電流Ｉｏ１が出力される。このとき、発光ダイオード素子Ｄ１、Ｄ２…Ｄｎの光量が夫々Ｃ１であれば、ＬＥＤ３の光出力は目標値であるＣ１×ｎになる。
【００３１】
しかしながら、別の条件（２）において、発光ダイオード素子Ｄ１、Ｄ２…Ｄｎが、夫々の個体差により、供給電流Ｉｏ１が出力されたときの光量が夫々Ｃ２（例えばＣ２＞Ｃ１）となることがある。また、更に別の条件（３）において、発光ダイオード素子Ｄ１、Ｄ２…Ｄｎは、供給電流Ｉｏ１が出力されたときの光量が夫々Ｃ３（例えばＣ１＞Ｃ３）となることがある。
【００３２】
そこで、条件（２）である場合、発光ダイオード素子Ｄ１、Ｄ２…Ｄｎには、夫々の光量をＣ１とすべく、供給電流Ｉｏ１よりも小さな供給電流Ｉｏ２が供給されるように、補正用抵抗Ｒｃの抵抗値をＲｃ２（Ｒｃ１＞Ｒｃ２）とする。図３において、補正用抵抗Ｒｃの抵抗値をＲｃ２としたときの入力電圧値Ｖｃ等を条件（４）として示す。この条件（４）において、補正用抵抗Ｒｃの抵抗値がＲｃ２であるとき、入力電圧値Ｖｃ２（抵抗分圧値）は、以下の式３、４により求められる。なお、式３、４において、Ｚ２は、第２抵抗Ｒ２及び補正用抵抗Ｒｃ２の合成抵抗である。
【００３３】
［数２］
Ｖｃ＝Ｖｒｅｆ・Ｚ２／（Ｒ１＋Ｚ２）＝Ｖｃ２・・・（式３）
Ｚ２＝Ｒ２・Ｒｃ２／（Ｒ２＋Ｒｃ２）  ・・・（式４）
【００３４】
また、条件（３）である場合にも、発光ダイオード素子Ｄ１、Ｄ２…Ｄｎには、夫々の光量をＣ１とすべく、供給電流Ｉｏ１よりも大きな供給電流Ｉｏ３が供給されるように、補正用抵抗Ｒｃの抵抗値をＲｃ３（Ｒｃ３＞Ｒｃ１）とする。図３において、補正用抵抗Ｒｃの抵抗値をＲｃ３としたときの入力電圧値Ｖｃ等を条件（５）として示す。この条件（５）において、補正用抵抗Ｒｃの抵抗値がＲｃ３であるとき、入力電圧値Ｖｃ３（抵抗分圧値）は、以下の式５、６により求められる。なお、式５、６において、Ｚ３は、第２抵抗Ｒ２及び補正用抵抗Ｒｃ３の合成抵抗である。
【００３５】
［数３］
Ｖｃ＝Ｖｒｅｆ・Ｚ３／（Ｒ１＋Ｚ３）＝Ｖｃ３・・・（式５）
Ｚ３＝Ｒ２・Ｒｃ３／（Ｒ２＋Ｒｃ３）  ・・・（式６）
【００３６】
つまり、条件（１）においてＬＥＤ３を点灯させる場合は、補正用抵抗Ｒｃの抵抗値をＲｃ１とし、条件（２）（３）においてＬＥＤ３を点灯させる場合は、図３の条件（４）（５）に示すように、補正用抵抗Ｒｃの抵抗値を夫々Ｒｃ２、Ｒｃ３とする。このように、ＬＥＤ３の光量ばらつきに応じて補正用抵抗Ｒｃの抵抗値を設定することにより、同じ電流を印加しても同じ光量を出力しないＬＥＤ３が灯具４に用いられても、ＬＥＤ３の光量のばらつきを簡易に補正することができる。
【００３７】
上記構成によれば、補正用抵抗Ｒｃの抵抗値はＬＥＤ３の光量ばらつきに応じて設定されるが、第１抵抗Ｒ１及び第２抵抗Ｒ２の抵抗値は所定値に設定されているので、製造段階でいずれのＬＥＤ点灯装置１に対しても共通の抵抗分圧回路６２を用いることができる。そのため、製造段階で準備すべき回路の種類が少なくなり、ＬＥＤ点灯装置１の製造効率を向上させることができる。
【００３８】
また、抵抗分圧回路６２の第１抵抗Ｒ１及び第２抵抗Ｒ２の抵抗値は、ＬＥＤ３の光量の平均値に基づいて夫々設定されるところ、ＬＥＤ３の光量ばらつきは、素子の製造不良がなければ、大幅にばらつくことはなく、ある程度の範囲に収まる。そのため、出力電流設定部６１への入力電圧値Ｖｃは、主として第１抵抗Ｒ１及び第２抵抗Ｒ２の抵抗値によって定められ、入力電圧値Ｖｃにおける補正用抵抗Ｒｃの補正量を少なくすることができる。上記構成においては、補正用抵抗Ｒｃが、ワイヤーハーネス又は基板配線６４によって電流制御部６と接続されているので、補正用抵抗Ｒｃと電流制御部６との間にノイズが印加されることがある。しかし、上述したように、入力電圧値Ｖｃにおける補正用抵抗Ｒｃの補正量を少なくすれば、ノイズが入力電圧値Ｖｃに与える影響も少なくなるので、ノイズによるＬＥＤ３の光出力の変動を抑制することができる。
【００３９】
なお、本実施形態においては、補正用抵抗Ｒｃが、抵抗分圧回路６２の第２抵抗Ｒ２に並列に配される構成について説明したが、補正用抵抗Ｒｃは、第１抵抗Ｒ１に並列に配されていてもよい。ただし、補正用抵抗Ｒｃは、第２抵抗Ｒ２に並列に配した方が、基準電圧Ｖｒｅｆに乗算される分圧比における補正用抵抗Ｒｃの抵抗値の寄与率が大きくなるので、効率的に入力電圧値Ｖｃを補正することができる。
【００４０】
次に、本発明の第２の実施形態に係るＬＥＤ点灯装置について、図４及び図５を参照して説明する。図４に示すように、本実施形態に係るＬＥＤ点灯装置１は、電流制御部６が、定電流回路６３と、この定電流回路６３からの電流Ｉｒが流れる既定抵抗Ｒ３と、を有する。電流制御部６に対する入力電圧値Ｖｃは、既定抵抗Ｒ３に発生する電圧値により設定される。また、補正用抵抗Ｒｃは、既定抵抗Ｒ３と並列に配されている。そのため、既定抵抗Ｒｃに発生する電圧値は、補正用抵抗Ｒｃによって補正され、この補正された電圧値が入力電圧値Ｖｃとなる。他の構成は、上記実施形態と同様である。
【００４１】
図５は、種々の条件におけるＬＥＤ３（発光ダイオード素子Ｄ１、Ｄ２…Ｄｎ）の光量と、供給電流Ｉｏ、補正用抵抗Ｒｃ及び出力電流設定部６１への入力電圧値Ｖｃとの関係を示す。
【００４２】
ある条件（１）において、定電流回路６３の出力電圧をＶｓ、補正用抵抗Ｒｃの抵抗値をＲｃ１としたとき、入力電圧値Ｖｃ１は、以下の式７により求められる。
【００４３】
［数４］
Ｖｃ＝Ｖｓ・（Ｒ３・Ｒｃ１）／（Ｒ３＋Ｒｃ１）＝Ｖｃ１・・・（式７）
【００４４】
出力電流設定部６１は、入力電圧値Ｖｃ１が入力されると、この入力電圧値Ｖｃに応じてＤＣ−ＤＣコンバータ５１のスイッチング素子Ｑ０を制御する制御信号を出力し、ＤＣ−ＤＣコンバータ５１からＬＥＤ３へ供給電流Ｉｏ１が出力される。このとき、発光ダイオード素子Ｄ１、Ｄ２…Ｄｎが光量が夫々Ｃ１であれば、ＬＥＤ３の光出力は目標値であるＣ１×ｎとなる。
【００４５】
しかしながら、別の条件（２）において、発光ダイオード素子Ｄ１、Ｄ２…Ｄｎが、夫々の個体差により、供給電流Ｉｏ１が出力されたときの光量が夫々Ｃ２（例えばＣ２＞Ｃ１）となることがある。この場合、発光ダイオード素子Ｄ１、Ｄ２…Ｄｎには、夫々の光出力がＣ１となる供給電流Ｉｏ２（Ｉｏ１＞Ｉｏ２）が供給されるように、補正用抵抗Ｒｃの抵抗値をＲｃ２（Ｒｃ１＞Ｒｃ２）とする。図５において、補正用抵抗Ｒｃの抵抗値をＲｃ２としたときの入力電圧値Ｖｃ等を条件（４）として示す。この条件（４）において、補正用抵抗Ｒｃの抵抗値がＲｃ２であるとき、入力電圧値Ｖｃ２は、以下の式８により求められる。
【００４６】
［数５］
Ｖｃ＝Ｖｓ・（Ｒ３・Ｒｃ２）／（Ｒ３＋Ｒｃ２）＝Ｖｃ２・・・（式８）
【００４７】
また、更に別の条件（３）において、発光ダイオード素子Ｄ１、Ｄ２…Ｄｎは、供給電流Ｉｏ１が出力されたときにの光量が夫々Ｃ３（例えばＣ１＞Ｃ３）となることがある。この場合、発光ダイオード素子Ｄ１、Ｄ２…Ｄｎには、光量が夫々Ｃ１となる供給電流Ｉｏ３（Ｉｏ３＞Ｉｏ１）が供給されるように、補正用抵抗Ｒｃの抵抗値をＲｃ３（Ｒｃ３＞Ｒｃ１）とする。図５において、補正用抵抗Ｒｃの抵抗値をＲｃ２としたときの入力電圧値Ｖｃ等を条件（５）として示す。この条件（５）において、補正用抵抗Ｒｃの抵抗値がＲｃ３であるとき、入力電圧値Ｖｃ３は、以下の式９により求められる。
【００４８】
［数６］
Ｖｃ＝Ｖｓ・（Ｒ３・Ｒｃ３）／（Ｒ３＋Ｒｃ２）＝Ｖｃ３・・・（式９）
【００４９】
この構成のよれば、上記実施形態と同様に、ＬＥＤ３の光量ばらつきに応じて補正用抵抗Ｒｃの抵抗値を設定することにより、同じ電流を印加しても同じ光量を出力しないＬＥＤ３が灯具４に用いられても、ＬＥＤ３の光量のばらつきを簡易に補正することができる。また、電流制御部６の回路構成をシンプルにすることができる。
【００５０】
上述した実施形態に係るＬＥＤ点灯装置１は、車載用照明装置に限らず、ＬＥＤを光源とした照明器具に適用することができる。ここでは、図６（ａ）（ｂ）に示すように、天井等に埋め込まれるダウンライト型の照明器具７を例に挙げる。照明器具７は、回路基板上に複数のダイオード素子Ｄ１、Ｄ２…（総称してＬＥＤ３）が実装された光源部７１と、光源部７１のＬＥＤ３を点灯させるＬＥＤ点灯装置１を収容する本体部７２と、を備える。また、照明器具７は、天井等に形成された開口部に嵌め込まれて光源部７１等を保持する枠体部７３と、商用電源ＡＣから電源供給を受けるための電源線が接続される端子台７４と、枠体部７３を天井等に固定するための取付バネ７５と、を備える。なお、このような照明器具７に用いられる場合、上述した直流電源ＤＣ及びＤＣ−ＤＣコンバータ５１に換えて又は加えて、商用電源ＡＣから供給される交流電流を直流電流に変換するＡＣ−ＤＣコンバータ（不図示）が搭載される。
【００５１】
なお、本発明は、上記実施形態に限らず種々の変形が可能である。例えば、上記実施形態において、補正用抵抗Ｒｃを単体として表示したが、補正用抵抗Ｒｃは直列又は並列に配された複数の抵抗から構成されたものであってもよい。また、その抵抗値を適宜に設定できるものであれば、抵抗値が定められている既定抵抗や上述したサーミスタ等の可変抵抗に限らず、例えば、ＬＥＤ等の抵抗要素が用いられてもよい。
【符号の説明】
【００５２】
１    ＬＥＤ点灯装置
２    車載用照明装置
３    発光ダイオード（ＬＥＤ）
５    ＤＣ電源回路
６    電流制御部
６２    抵抗分圧回路
６３    定電流回路
６４    ワイヤーハーネス又は基板配線
７    照明器具
Ｒ１    第１抵抗（抵抗）
Ｒ２    第２抵抗（抵抗）
Ｒ３    既定抵抗
Ｒｃ    補正用抵抗（感温抵抗又はサーミスタ）
Ｖｃ    入力電圧値
Ｖｒｅｆ    基準電圧
【図１】
0005945819.tif 000002
【図２】
0005945819.tif 000003
【図３】
0005945819.tif 000004
【図４】
0005945819.tif 000005
【図５】
0005945819.tif 000006
【図６】
0005945819.tif 000007
【図７】
0005945819.tif 000008